(57)【要約】【課題】  芝に大きなストレスを与えることなく、さらに芝の生育に影響を与えることなく、効率的な作業によって芝の露取りを行うことのできる露取り器を提供することを課題とする。【解決手段】  本考案の芝刈り機用露取り器は、芝刈り機の前方に少なくとも一つ配設され、芝草との接触によって自由回転するローラー１と、芝刈り機との所定以上の距離を保ちながらそれ自体の先端でローラー１を保持するアーム２と、アーム２の基端にてアーム２と芝刈り機とを固定する固定手段３と、を具備することを特徴とする。また、本考案の芝刈り機は、進行方向に対して横向きの回転軸を有し、縦に並ぶ複数の回転刈刃４を具備し、この回転刈刃４の周囲を覆う刈刃カバー５に、前記いずれかの芝刈り機用露取り器を固定してなることを特徴とする。【選択図】図１
0003116361.tif 000002
【実用新案登録請求の範囲】
【請求項１】
芝刈り機の前方に少なくとも一つ配設され、芝草との接触によって自由回転するローラーと、芝刈り機との所定以上の距離を保ちながらそれ自体の先端でローラーを保持するアームと、アームの基端にてアームと芝刈り機とを固定する固定手段と、を具備することを特徴とする芝刈り機用露取り器。
【請求項２】
ローラーの回転軸が芝刈り機の進行方向に対して横を向くように配設されると共に、ローラーの表面に複数の凹部或いは凸部を有する請求項１記載の芝刈り機用露取り器。
【請求項３】
アームの側面視長さが少なくとも５０ｍｍ以上である請求項１又は２記載の芝刈り機用露取り器。
【請求項４】
固定手段が、ローラーの回転軸方向長さの中央に位置する請求項１、２又は３のいずれか記載の芝刈り機用露取り器。
【請求項５】
固定手段が、アームと芝刈り機とを所定以上の挟角で角度調節可能に保持する固定具である請求項１、２、３又は４のいずれか記載の芝刈り機用露取り器。
【請求項６】
第一の固定板及び第二の固定板からなる蝶番と、蝶番の最小開き角度を保持する最小挟角保持具とから構成され、第一の固定板及び第二の固定板がアーム及び芝刈り機に固定されてなる請求項１、２、３、４又は５のいずれか記載の芝刈り機用露取り器。
【請求項７】
最小挟角保持具が、アームと固定されるアーム固定板と芝刈り機と固定される芝刈り機固定板のいずれか一方に貫通固定される角度調整棒を具備してなり、この角度調整棒は、任意の突出量を保持したまま突出しうるとともに、その先端がアーム固定板と芝刈り機固定板のいずれか他方に当接しうる請求項６記載の芝刈り機用露取り器。
【請求項８】
ローラーの外径が４０ないし７５ｍｍである請求項１、２、３、４、５、６又は７のいずれか記載の芝刈り機用露取り器。
【請求項９】
ローラーの外径が５０ｍｍ以下である請求項１、２、３、４、５、６又は７のいずれか記載の芝刈り機用露取り器。
【請求項１０】
進行方向に対して横向きの回転軸を有して縦に並ぶ複数の回転刈刃を具備し、この回転刈刃の周囲を覆う刈刃カバーに、請求項１、２、３、４、５、６、７、８又は９のいずれか記載の芝刈り機用露取り器を固定してなる芝刈り機。
【考案の詳細な説明】
【技術分野】
【０００１】
本考案は、芝刈り機に取り付けられ、刈り取り前の芝生に付着した露を取る芝刈り機用露取り器、及びこれを備えた芝刈り機に関するものである。
【背景技術】
【０００２】
芝刈りは早朝に行うことが多いが、芝に露がついたままで芝刈りを行うと、刈り取った芝を回収するバケット内に、刈草以上に水が溜まるため、吸収した水の回収が必要となる等、作業性に問題があった。芝刈り機には刈芝を回収するバケットが搭載されている（例えば、特許文献１、特許文献２参照）が、このバケットの容量は限られているため、バケット内に刈り草と共に溜まった水が溢れ、こぼれた水が芝上に溜まるおそれがある。
【０００３】
このような刈芝に付着した露対策として、吸収性を有する布やモップ類を芝刈り機の前方に吊り下げて吸収する布式の露取りが行われる場合があった。しかし、このような布式の露とりでは、吸水量が限られているためにすぐに機能しなくなる。また、吸った水が漏れ出し、漏れ出した量が多い場合は、芝上に溜まってしまい、露取りとして機能しなくなる。
【０００４】
またモップ類を用いると、芝に摩擦などのストレスを与えてしまう。このストレスによって芝刈り前に芝が折れたり曲がったりすると、芝の刈り残しや刈高の不均一が発生する。
【０００５】
他に、芝刈り前に水を撒くことで露を取る方法があるが、水を与えすぎると藻が発生するなど、芝の生育に影響を与えることがある。
【特許文献１】特開２０００−６０２５７号公報
【特許文献２】特開平０７−０９９８２０号公報
【考案の開示】
【考案が解決しようとする課題】
【０００６】
芝に大きなストレスを与えることなく、さらに芝の生育に影響を与えることなく、効率的な作業によって芝の露取りを行うことのできる露取り器を提供することを課題とする。
【課題を解決するための手段】
【０００７】
前記課題を解決するため、下記（１）〜（１０）の手段を採用するものとしている。
【０００８】
（１）すなわち、本考案の芝刈り機用露取り器は、芝刈り機の前方に少なくとも一つ（一つ或いは複数個）配設され、芝草との接触によって自由回転するローラー１と、芝刈り機との所定以上の距離を保ちながらそれ自体の先端でローラー１を保持するアーム２と、アーム２の基端にてアーム２と芝刈り機とを固定する固定手段３と、を具備することを特徴とする。
【０００９】
（２）また前記芝刈り機用露取り器は、ローラー１の回転軸が芝刈り機の進行方向に対して横を向くように配設されると共に、ローラー１の表面に複数の凹部或いは凸部を有することが好ましい。
【００１０】
このようなものであれば、横を向いたローラー１の回転側面が広い幅で芝と接触し、効率的な露取りが可能となる。特に、回転軸が略水平方向を向くものであることが好ましい。また、ローラー１表面の凹凸により、ローラー１に付着した露が細かく分散され、より細かな水滴として跳ね上げられる。このため、大きな水滴となって落ちたり跳ね上がったりすることを抑止するものとなる。
【００１１】
（３）また、前記いずれかの芝刈り機用露取り器は、アーム２の側面視長さが（但し、芝刈り機の進行方向を法線とする面を正面とする。）少なくとも５０ｍｍ以上であることが好ましい。
【００１２】
（４）また、前記いずれかの芝刈り機用露取り器は、固定手段３が、（正面視にて）ローラー１の回転軸方向幅の中央に位置することが好ましい。
【００１３】
（５）また、前記いずれかの芝刈り機用露取り器は、固定手段３が、アーム２と芝刈り機とを所定以上の挟角で角度調節可能に保持する固定具であることが好ましい。
【００１４】
（６）また、前記いずれかの芝刈り機用露取り器は、固定手段３が、第一の固定板３１１及び第二の固定板３１２からなる蝶番３１と、蝶番３１の最小開き角度を保持する最小挟角保持具とから構成され、第一の固定板３１１及び第二の固定板３１２がアーム２及び芝刈り機に固定されてなることが好ましい。
【００１５】
（７）また、前記芝刈り機用露取り器は、最小挟角保持具が、アーム２と固定されるアーム固定板と芝刈り機と固定される芝刈り機固定板のいずれか一方に貫通固定される角度調節棒３２を具備してなり、この角度調節棒３２は、任意の突出量を保持したまま突出しうるとともに、その先端がアーム固定板と芝刈り機固定板のいずれか他方に当接しうることが好ましい。
【００１６】
（８）また、前記いずれかの芝刈り機用露取り器は、ローラー１の外径が４０ないし７５ｍｍであることが好ましい。
【００１７】
（９）また、前記いずれかの芝刈り機用露取り器は、ローラー１の外径が５０ｍｍ以下であることが好ましい。
【００１８】
（１０）また、本考案の芝刈り機は、進行方向に対して横向きの回転軸を有し、縦に並ぶ複数の回転刈刃４を具備し、この回転刈刃４の周囲を覆う刈刃カバー５に、前記いずれかの芝刈り機用露取り器を固定してなることを特徴とする。
【００１９】
（作用）
このローラー１が、芝刈り直前の芝草の表面を撫でながら回転し、露を前方に押し出す。芝草の表面についた露が合わさって、表面張力を超えた量の水滴になると、水滴はその自重によって芝生の下に自然と沈む。沈んだ水分は芝生根元に落ちて自然排水される。このときローラー１は、散発的に表面張力を超えた分が自然落下し、絶えず芝生面に吸収されるので、寄せた水分が堆積することが無く、漏れ出しによる水溜りの恐れがない。このようなローラー１を芝刈り機の前方に配設することによって、露取りの後に芝刈りをおこなうという二度手間をかけることなく、芝刈りを行うことが出来る。
【００２０】
また、ローラー１を付加しない場合のように、露が刈芝を回収するバケット６に刈かすと共にたまり、重量を増し、排出のときの妨げとなるという問題を軽減できる。
【００２１】
ローラー１は、このような露を落すことによる露取りを行うと共に、露取り器が露を巻き込んで、ローラー１に付着した水滴を、ローラー１の高速回転によって跳ね上げる。このとき、ローラー１表面の溝内に水滴が入りこみ、細かい水しぶきとして分散させるため、細かな点状として芝生面に落ちるので、水滴が芝生表面についても問題は生じない。
跳ね上がった水が、細かく跳ね上がり、跳ね落ちると細かく砕けて分散するのと同時に芝生内に吸収される。
【考案の効果】
【００２２】
本考案は、上述のような構成としたことで、芝に大きなストレスを与えることなく、さらに芝の生育に影響を与えることなく、効率的な作業によって芝の露取りを行うことのできる芝刈り機用露払い器を得ることができる。
【考案を実施するための最良の形態】
【００２３】
以下、本考案を実施するための最良の形態を、各実施例として示す各図と共に説明する。図１ないし図８に、本考案の芝刈り機用露取り器の実施例１を示す。図９、図１０に、実施例１の芝刈り機用露取り器を備えた芝刈り機の使用状態を示す。また、図１１に、ローラー１の部品の３形態例を部分拡大図として示す。そして、図１２ないし図１４に、本考案の芝刈り機用露取り器の実施例２を示す。
【００２４】
以下のいずれの実施例においても、本考案の芝刈り機用露取り器は、芝刈り機の進行方向前方に取り付けて使用するものである。そして基本的には、芝刈り機の前方に少なくとも一つ或いは複数個が配設され、芝草との接触によって自由回転するローラー１と、芝刈り機との所定以上の距離を保ちながらそれ自体の先端でローラー１を保持するアーム２と、アーム２の基端にてアーム２と芝刈り機とを固定する固定手段３と、を具備する事を特徴とする。具体的には、図９或いは図１０の様に、ローラー１部が芝生に接触するように芝刈り機の前方或いは斜め前方へ取り付けて使用する。
【００２５】
バケット６、回転刈刃４、ローラー１の位置関係は、前方から順に、刈刃カバー５の前方先端にローラー１、次に刈刃カバー５付き回転刈刃４、そして次に捕集バケット６回転刈刃４の後ろ斜め上方の順となる。
【実施例１】
【００２６】
本考案の芝刈り機用露取り器の実施例１について、図１ないし図６はそれぞれ順に、斜視説明図（図１）、正面図（図２）、背面図（図３）、平面図（図４）、底面図（図５）、右側面図（図６）を示す。なお左側面図は、図６の右側面図と対称に表れる。また図７は、図２に示すＡ−Ａ線拡大断面図であり、図８は、図６に示すＢ−Ｂ線拡大断面図である。そして、図９および図１０は、実施例１の芝刈り機用露取り器を芝刈り機に固定して備えた使用状態を、側面視から示すもので、図９が平坦な芝面の芝生を進行させた使用状態であり、図１０が高低差のある芝面を進行固定した使用状態である。そして図１１が、各実施例のローラー１の表面の形態例を示す部品拡大部品図である。以下、各構成につき詳述する。
【００２７】
（ローラー１）ローラー１はアーム２に正逆回転可能に軸支されてなる。回転軸が進行方向に対して横向きで、芝面に対して略水平となるよう名向きで、芝の上部と接触しうる高さに、かつ、芝刈り機の刈刃よりも前方に配設される。芝刈り機の進行に伴い、芝と接触しながら芝の葉の表面を下方、すなわち芝の先端側から根側へ向かって撫でるように自由回転する。自由回転の方向は、芝刈り機の車輪と同方向である。
【００２８】
実施例１では一つの円筒状のローラー１であり、その円形の両端面にはそれぞれ中心に回転中心穴３１ｈが設けられる。
【００２９】
（ローラー１の表面）
ローラー１の表面には、少なくとも片面に凹凸形状の設けられたシートを巻回接着することで、多数の突起、凹状窪み或いは溝が設けられている。この多数の突起、凹状窪み或いは溝の形態例を図１１に示す。なお、これら３形態の突起や凹状窪みを組合せて規則的に或いは不規則的に配列したものでもよい。
【００３０】
表面溝は、突起が細かくあれば、そこに沿うように水滴が集中する跳ね上げられた水が分散する。特に、図１１の中図及び右図のように、斜めに格子状に走る細溝であれば、微小溝内に所定量以上水滴が保有されることがないため、確実に細かな水滴として分散させることができる。中でも図１１の中図では、格子状の溝によって形成される多数の窪みがそれぞれ、滑らかに曲率の変化するすり鉢状の窪みであり、各窪み内へ入った水滴の跳ね上げがよりスムーズに行われる。
【００３１】
また図１１の右図および左図のように、凸状の突起や凹状の窪みを、主に直線或いは平面で構成されてなるものであれば、比較的多くの表面積を確保することができ、芝草の表面からより多くの露を取ることができる。中でも図１１の左図では、高さの低い略ピラミッド型の四角錐からなる微細突起を多数設けてなることで、芝の葉の内側や芝の茎等、芝草の中でも露の溜まり易い部分と接触することができ、露を確実に取ることが可能となる。
【００３２】
表面の材質は、非金属もしは、樹脂などの非吸収性素材であることが好ましい。非金属であれば、錆の発生を防ぐと共に比較的軽量で自由回転し易いものとなる。また、非吸収性素材であれば、吸収により蓄積された水が芝上に落ちて溜まることが無い。具体的には疎水性合成繊維などの撥水性をもったものでもよく、木のような親水性をもったものでもよい。
【００３３】
（ローラー１の外径）
ローラー１の外径は、時速３キロ以上の高速時には４０〜７５ｍｍφ程度、好ましくは５０ないし６０ｍｍφである（以下、本発明においてｍｍφのφは径を示すこととする）。時速３キロ以上では、５０ｍｍφ以上で、水分の一部がローラー１に付着した後、ローラー１の回転によって上空に跳ね上げられ芝生面に落ちる。なお後述するように、跳ね上げられた水が芝刈り機上に載ると、芝刈り機上に溜まって芝上に落下するおそれがある。このため、跳ね上げられた水が全て芝面に落ちるように、刈り芝を捕集するバケット６との間に所定以上の距離空間が必要である。
【００３４】
時速３キロ未満の低速時は、外径５０ｍｍφ以下、さらには２５〜４０ｍｍφであることが好ましい。これは、ローラー１の回転速度が遅くなりすぎて、ローラー１表面に付着した水滴が跳ね上がらずに、線状の水滴となって芝表面に落ち、縞筋状に水が溜まる。例えば、時速２キロ程度の場合、５０ｍｍφを超える外径ではローラー１の回転速度（および単位時間当たりの回転数）が少なくなるため、ローラー１で掻き上げた水はローラー１よりも上方に跳ね上がることなく芝上に連続的に落ちて、芝上に縞状の水のラインが出来てしまう。これに対して５０ｍｍφ以下、好ましくは４０ｍｍφ以下であれば、低速でも跳ねが上がるだけのローラー１の回転速度を確保することができる。
【００３５】
（アーム２）
アーム２は、ローラー１を保持するものであり、ローラー１と捕集バケット６間に所定以上の距離を確保する。実施例では芝刈り機に固定された固定手段３を基端とし、この固定手段３から平面視左右対称に斜め前方へ延びてローラー１の両端を囲うように途中で屈曲した屈曲細棒状体である。ローラー１の両端を囲う左右の先端は、ローラー１の回転中心穴３１ｈに嵌入し、ローラー１を軸支している。アームは又、芝刈り機に固定された状態で、側面視にて斜め下方を向き、ローラー１側が固定手段３側よりも低い位置となるようになる。これは、アーム２の固定角度と共に、ローラー１の重さおよびアーム２の自重によるものである。すなわち、アーム２が、ローラー１の重さおよびアーム２自体の自重によってわずかに撓む程度の可撓性を有する弾性体からなる。これにより、芝への当りがソフトなものとなり、ローラー１の接触によっても芝草（芝の茎及び芝の葉）を傷つけることのない露取り器となる。
【００３６】
跳ね上がった水が、細かく跳ね上がり、跳ね落ちると細かく砕けて分散するのと同時に芝生内に吸収される。このとき、跳ね上がった水は分散し、芝刈り機とローラー１の間に落ちることが好ましい。
【００３７】
所定の距離とは、露水を跳ね上げて落ちるある程度の距離をいう。バケット６及び刈刃カバー５との距離を確保し、バケット６及び刈刃カバー５へ滴がついたりたまったりして芝上に垂れ落ちないようにする。逆に距離が無いと、バケット６の前面などに付き、一部からたれ落ちる。
【００３８】
アーム２と芝刈り機（バケット６及び刈刃カバー５）の間の側面視直線距離は、少なくとも約５０ｍｍ以上、好ましくは約１００ｍｍ以上である（図９、図１０）。そのため、アーム２の側面視長さを最低限の長さ（少なくとも約５０ｍｍ、好ましくは約１００ｍｍ）以上としている。
【００３９】
（固定手段３）
固定手段３は、アーム２の基端部を芝刈り機の前方端に固定するものであり、アーム２及び芝刈り機の間の挟角が調節可能な、ヒンジ状の角度調節具であることが好ましい。
【００４０】
この固定手段３は、アーム２と芝刈り機とを所定以上の挟角で角度調節可能に保持する固定具であり、ローラー１の軸方向長さの少なくとも中央４分の３以内の幅内、好ましくは略中央に配置されることが好ましい。具体的には、ヒンジの距離を正面視幅方向中央側に寄せることによって、ロール端のガタが大きくなるので、左右のアンジュレーションに対応することができる。実施例１では固定手段１の位置を、ローラー１の回転軸方向長さの中央４分の３以内の中央側に寄せている（図１、図２及び図３）。
【００４１】
具体的には、固定手段３が、第一の固定板３１１及び第二の固定板３１２からなる蝶番３１と、蝶番３１の最小開き角度を保持する最小挟角保持具とから構成され、第一の固定板３１１及び第二の固定板３１２がアーム２及び芝刈り機に固定されてなる。
【００４２】
蝶番３１は、第一の固定板３１１と第二の固定板３１２とがヒンジ３１３によって自由に挟角可変可能として連結される。実施例では。第一の固定板３１１がアーム２に固定されるアーム固定板であり、第二の固定板３１２が芝刈り機の刈刃カバー５の進行方向前面に固定される芝刈り機固定板である。
【００４３】
最小挟角保持具は、アーム固定板と芝刈り機固定板のいずれか一方に貫通固定される角度調節棒３２を具備してなり、この角度調節棒３２は、任意の突出量を保持したまま突出しうるとともに、その先端がアーム固定板と芝刈り機固定板のいずれか他方に当接しうることが好ましい。角度調節棒３２は具体的には、六角ボルト３２１とこれに螺合する蝶ナット３２２から構成される。
【００４４】
実施例１では、第一の固定板３１１たるアーム固定板が長方形をしており、その略中央に、角度調節棒３２が螺合貫通する螺子孔３１ｈが設けられる。
【００４５】
また、第二の固定板３１２たる芝刈り機固定板は、横長矩形の上方部の横幅方向中央から下方へ下方辺が伸びてなる、全体として略Ｔ字形の平面板である。実施例１では上方部の下辺に沿って、第一の固定板３１１と連結されるヒンジ３１３が２個、両端付近に設けられる（図１）。また実施例１では、下方辺が、角度調節ボルトの先端が当接する当接箆３１２ｃとなる。そして、上方部が刈刃カバー５に沿って横長略水平方向に固定され、この固定状態で、下方辺の当接箆が側面視にて斜め下方へ突出する。このとき第二の固定板３１２は、その上方部の上辺で第一の固定板３１１と蝶番３１によってヒンジ連結される。
【００４６】
このようにして、角度調節棒３２が貫通固定された第一の固定板３１１たる長方形板と、第二の固定板３１２たるＴ字板とが、最小挟角調節可能に連結固定される。そして、図５のように、平坦な等高の芝生を進むときは常に最小挟角より大きな挟角となるようにして、常に芝に対して自重による負荷をかけており、図６のように、芝高さの異なる芝生の段差部分に至ったとき、角度調整ボルトがＴ字板に当ることで、Ｔ字板との最小挟角を確保する。これにより、ローラーの落下による地面との接触や引っかかりを防止するものとしている。
【実施例２】
【００４７】
本考案の実施例２の芝刈り機用露取り器を図１２ないし図１４に示す。図１２、１３および１４はそれぞれ、斜視図、正面図および右側面図である。実施例２は実施例１と比較して、アーム２の基端部分、および、蝶番３１を含む固定手段（アーム２と芝刈り機とを固定する固定手段）が相違する。その他の、ローラー１およびその周辺を含む構造ないし図１１等の形態例は、実施例１と同様である。
【００４８】
具体的には、実施例２において蝶番３１は、芝刈り機に固定される第二の固定板３１２と、これに連結されてアーム２の基端部をヒンジ固定するヒンジ３１３とから構成される。さらに、アーム２を上方から押さえる押さえ棒３３が、ヒンジ３１３にヒンジ固定されている。この押さえ棒３３は、アーム２と芝刈り機とを所定以下の挟角となるように角度調節可能に保持する固定具である。
【００４９】
押さえ棒３３は具体的には、環状の円柱パイプからなり、その両端が、アーム２の上方に重ねられるようにしてヒンジ３１３へヒンジ固定される。ヒンジ固定によって、ヒンジ３１３側を中心として押さえ棒３３が回動し、第二の固定板３１２に対して任意の挟角をとりうる。押さえ棒３３のヒンジ固定位置は、アーム２の基端側であるヒンジ固定位置の直上である。
【００５０】
そして押さえ棒３３は、このヒンジ固定と共に、ヒンジ３１３内で、アーム２側たる下方へ回転しうるような付勢力を付与されている。なお、付勢力はねじりバネ等の弾性体によるもの、内部充填された圧油等の押圧液によるもの等、ヒンジ３１３内外における任意の手段によって与えられる。
【００５１】
この、押さえ棒３３に付与された付勢力によって、押さえ棒３３がアーム２の上方を常に覆い、同じくヒンジ３１３にヒンジ固定されたアーム２の基端側から先端側へ前方に伸びる並行延伸部の上面へ接触する形となる。何らかの外力が加わり、アーム２が、ヒンジ３１３側（基端側）を中心として上方に持ち上がったとき、第二の固定板３１２に対して付勢力によって押さえ棒３３がアーム２の上方から下方へ押さえることとなり、これによって、アーム２の第二の固定板３１２に対する角度（両者の挟角）を制限する。
【００５２】
第二の固定板３１２は、幅方向に細長い横長矩形板であり、長手方向に沿って４つ設けられた固定孔（図１２）への螺子固定によって、芝刈り機の刈刃カバー５に略水平方向に固定される。
【００５３】
ヒンジ３１３は、所定の幅方向長さを持って第二の固定板３１２の中央位置に１個設けられる（図１２）。このヒンジ３１３はアーム２と固定されており、その所定の幅方向長さは、ローラー１の回転軸方向長さの約５分の１である。このように、固定手段１の位置をローラー１の回転軸方向長さの中央５分の１以内の中央幅内に寄せ（図１２、図１３）、ヒンジ３１３を、幅方向中央に一つ所定の小さな幅を持って配置することで、ヒンジ３１３の横幅方向の遊びを形成し、ローラー１が左右のアンジュレーションに対応することを可能としている。
【産業上の利用可能性】
【００５４】
このようにして得られた各実施例の芝刈り機用露取り器及びこれを備えた芝刈り機は、主に、芝に露が付着する早朝の芝刈りにおいて好適に使用されるが、その他の状況で芝の葉のメンテナンスと共に行う芝刈りや、芝刈りを行わない芝の葉の露払いとして用いることができる。また芝刈り機は、乗用型か非乗用型か、或いは車輪の数を問わず採用される。
【図面の簡単な説明】
【００５５】
【図１】本考案の実施例１の芝刈り機用露取り器を示す斜視説明図である。
【図２】実施例１の芝刈り機用露取り器の正面図である。
【図３】実施例１の芝刈り機用露取り器の背面図である。
【図４】実施例１の芝刈り機用露取り器の平面図である。
【図５】実施例１の芝刈り機用露取り器の底面図である。
【図６】実施例１の芝刈り機用露取り器の右側面図である。
【図７】図２に示す実施例１の芝刈り機用露取り器のＡ−Ａ線拡大断面図である。
【図８】図６に示す実施例１の芝刈り機用露取り器のＢ−Ｂ線拡大断面図である。
【図９】実施例１の芝刈り機用露取り器を備えた芝刈り機の、平坦地での使用状態を示す側面視説明図である。
【図１０】実施例１の芝刈り機用露取り器を備えた芝刈り機の、段差部での使用状態を示す側面視説明図である。
【図１１】各実施例の芝刈り機用露取り器で使用されるローラー１の形態例を示す部品拡大説明図である。
【図１２】本考案の実施例２の芝刈り機用露取り器を示す斜視説明図である。
【図１３】実施例２の芝刈り機用露取り器の正面図である。
【図１４】実施例２の芝刈り機用露取り器の右側面図である。
【符号の説明】
【００５６】
１  ローラー
２  アーム
３  固定手段
３１  蝶番
３１１  第一の固定板
３１２  第二の固定板
３１２ｃ  当接箆
３１３  ヒンジ
３２  角度調節棒
３２１  六角ボルト
３２２  蝶ナット
３３  押さえ棒
４  回転刈刃
５  刈刃カバー
６  バケット
【図１】
0003116361.tif 000003
【図２】
0003116361.tif 000004
【図３】
0003116361.tif 000005
【図４】
0003116361.tif 000006
【図５】
0003116361.tif 000007
【図６】
0003116361.tif 000008
【図７】
0003116361.tif 000009
【図８】
0003116361.tif 000010
【図９】
0003116361.tif 000011
【図１０】
0003116361.tif 000012
【図１１】
0003116361.tif 000013
【図１２】
0003116361.tif 000014
【図１３】
0003116361.tif 000015
【図１４】
0003116361.tif 000016